(57)【要約】      （修正有）【課題】携帯端末において、静電気の検出状態を利用して処理を行う。【解決手段】携帯端末は、静電気を検出する静電気検出部と、前記静電気検出部の検出状態に応じて所定の処理を行う制御部とを有し、前記制御部は、前記静電気検出部が検出した静電気の量が第１閾値以上になった場合、前記所定の処理として、前記携帯端末内の前記静電気検出部以外の構成要素への電源供給を遮断する処理を行い、前記静電気検出部は、前記静電気検出部以外の構成要素への電源供給が遮断された後に、検出した静電気の量が前記第１閾値よりも大きな第２の閾値以上になった場合、前記静電気検出部以外の構成要素への電源供給を再開する処理を行い、前記制御部は、前記静電気検出部以外の構成要素への電源供給が再開された場合、前記所定の処理として、前記静電気検出部が静電気を検出したことを報知する処理を行う。【選択図】図１
2012227654.tif 000002
【特許請求の範囲】
【請求項１】
静電気を検出する静電気検出部と、
前記静電気検出部の検出状態に応じて所定の処理を行う制御部と、を有する携帯端末。
【請求項２】
前記制御部は、前記静電気検出部が静電気を検出した場合、前記所定の処理として、前記携帯端末内の特定の構成要素への電源供給を遮断する処理、または、前記静電気検出部が静電気を検出したことを報知する処理を行う、請求項１に記載の携帯端末。
【請求項３】
前記制御部は、前記静電気検出部が検出した静電気の量が第１閾値以上になった場合、前記所定の処理として、前記携帯端末内の前記静電気検出部以外の構成要素への電源供給を遮断する処理を行い、
前記静電気検出部は、前記静電気検出部以外の構成要素への電源供給が遮断された後に、検出した静電気の量が前記第１閾値よりも大きな第２の閾値以上になった場合、前記静電気検出部以外の構成要素への電源供給を再開する処理を行い、
前記制御部は、前記静電気検出部以外の構成要素への電源供給が再開された場合、前記所定の処理として、前記静電気検出部が静電気を検出したことを報知する処理を行う、請求項１に記載の携帯端末。
【請求項４】
前記静電気検出部は、スキー板の滑走面と銅板を介して接続されており、前記スキー板の滑走面で発生し前記銅板を介して伝達されてきた静電気を検出する、請求項１から３のいずれか１項に記載の携帯端末。
【請求項５】
前記携帯端末が前記スキー板の所定の位置に設置されるとＯＮするスイッチをさらに有し、
前記制御部は、前記スイッチがＯＮである場合に、前記静電気検出部の検出状態に応じて前記所定の処理を行う、請求項４に記載の携帯端末。
【請求項６】
請求項４または５に記載の携帯端末と、
前記携帯端末が前記所定の位置に設置されるスキー板と、を有する携帯システム。
【請求項７】
前記スキー板は、
前記携帯端末が内部に格納されて設置される格納ボックスと、
前記格納ボックスを覆う断熱材と、を有する、請求項６に記載の携帯システム。
【請求項８】
携帯端末が行う静電気対処方法であって、
静電気を検出し、
静電気の検出状態に応じて所定の処理を行う、静電気対処方法。
【請求項９】
携帯端末に、
静電気を検出する手順と、
静電気の検出状態に応じて所定の処理を行う手順と、を実行させるためのプログラム。
【発明の詳細な説明】
【技術分野】
【０００１】
本発明は、携帯端末、携帯システム、静電気対処方法、プログラムに関する。
【背景技術】
【０００２】
物体に発生する静電気に関する技術が開示されている。
【０００３】
例えば、特許文献１には、導電性シートで形成されたカーテン体に物体を通過させることで、物体に発生した静電気を除去する技術が開示されている。
【先行技術文献】
【特許文献】
【０００４】
【特許文献１】特開昭６０−０９３８００号公報
【発明の概要】
【発明が解決しようとする課題】
【０００５】
ところで、静電気は、携帯端末に対しても誤動作等の不具合を生じさせるものであるため、携帯端末でも静電気に対する対策が必要である。
【０００６】
しかしながら、特許文献１に開示されたカーテン体は、携帯端末の使用時に必ずしも身近に存在するものではない。
【０００７】
そのため、例えば、携帯端末において、静電気を検出した時に、誤動作等を防ぐための処理を行うことができれば、静電気の影響を回避することができる。
【０００８】
しかしながら、特許文献１に開示された技術は、物体に発生した静電気を除去するものであり、静電気の検出状態を利用して処理を行うものではない。
【０００９】
本発明の目的は、上述した課題を解決し、静電気の検出状態を利用して処理を行うことができる携帯端末、携帯システム、静電気対処方法、プログラムを提供することにある。
【課題を解決するための手段】
【００１０】
本発明の携帯端末は、
静電気を検出する静電気検出部と、
前記静電気検出部の検出状態に応じて所定の処理を行う制御部と、を有する。
【００１１】
本発明の携帯システムは、
前記携帯端末と、
前記携帯端末が所定の位置に設置されるスキー板と、を有する。
【００１２】
本発明の静電気対処方法は、
携帯端末が行う静電気対処方法であって、
静電気を検出し、
静電気の検出状態に応じて所定の処理を行う。
【００１３】
本発明のプログラムは、
携帯端末に、
静電気を検出する手順と、
静電気の検出状態に応じて所定の処理を行う手順と、を実行させる。
【発明の効果】
【００１４】
本発明の携帯端末によれば、静電気の検出状態を利用して処理を行うことができるという効果が得られる。
【図面の簡単な説明】
【００１５】
【図１】本発明の第１の実施形態の携帯端末のブロック図である。
【図２】本発明の第２の実施形態の携帯電話機が設置されるスキー板の一例の断面図である。
【図３】本発明の第２の実施形態の携帯電話機の断面図である。
【図４】本発明の第２の実施形態の携帯電話機を、図２に示したスキー板に設置した状態の断面図である。
【図５】本発明の第２の実施形態の携帯電話機のブロック図である。
【図６】本発明の第２の実施形態の携帯電話機の動作を説明するフローチャートである。
【図７】本発明の第２の実施形態の携帯電話機の動作のうち、図６に示したステップＳ１〜Ｓ３の動作を詳細に説明する図である。
【図８】本発明の第２の実施形態の携帯電話機の動作のうち、図６に示したステップＳ４〜Ｓ６の動作を詳細に説明する図である。
【図９】本発明の第２の実施形態の携帯電話機が設置されるスキー板の他の例の断面図である。
【図１０】本発明の第２の実施形態の携帯電話機を、図９に示したスキー板に設置した状態の断面図である。
【発明を実施するための形態】
【００１６】
以下に、本発明を実施するための形態について図面を参照して説明する。
（１）第１の実施形態
図１は、本実施形態の携帯端末１００のブロック図である。
【００１７】
図１に示すように、本実施形態の携帯端末１００は、静電気検出部１０１と、制御部１０２と、を有している。
【００１８】
静電気検出部１０１は、携帯端末１００の周囲に発生した静電気を検出する。
【００１９】
制御部１０２は、静電気検出部１０１の検出状態に応じて所定の処理を行う。
【００２０】
例えば、制御部１０２は、静電気検出部１０１が静電気を検出した場合、所定の処理として、携帯端末１００内の特定の構成要素への電源供給を遮断する処理、静電気を検出したことを報知する処理などを行う。
【００２１】
ここで、電源供給を遮断する特定の構成要素は、携帯端末１００内の全ての構成要素でも良いし、一部の構成要素でも良い。
【００２２】
また、静電気を検出したことの報知は、不図示のバイブレータの振動、不図示のスピーカーからの音声出力等、どのような手段で行っても良い。
【００２３】
上述したように本実施形態の携帯端末１００によれば、静電気検出部１０１は、携帯端末１００の周囲に発生した静電気を検出し、制御部１０２は、静電気検出部１０１の検出状態に応じて所定の処理を行う。
【００２４】
したがって、静電気検出部１０１が検出した静電気の検出状態を利用して処理を行うことができるという効果が得られる。
（２）第２の実施形態
本実施形態は、本発明の携帯端末を携帯電話機に適用し、第１の実施形態の構成および動作を具体化した例である。
【００２５】
また、本実施形態の携帯電話機は、スキー板に設置され、スキー板と共に携帯システムを構成するものとする。
【００２６】
図２は、本実施形態の携帯電話機１０が設置されるスキー板２０の一例の断面図、図３は、本実施形態の携帯電話機１０の断面図、図４は、本実施形態の携帯電話機１０を、図２に示したスキー板２０に設置した状態の断面図である。
【００２７】
図２に示すように、スキー板２０には、ビンディング２１の前方の位置に、携帯電話機１０を格納する格納ボックス２２が設けられている。
【００２８】
また、スキー板２０には、スキー板２０の滑走面と非滑走面とを接続する銅板２３が挿入されている。
【００２９】
図３に示すように、携帯電話機１０には、格納ボックス２２内に設置された時に、スキー板２０の銅板２３と接触する銅板１１が設けられている。
【００３０】
また、携帯電話機１０には、銅板１１が設けられた面側に、格納ボックス２２内に設置された時にＯＮするスイッチ１２が設けられている。なお、本実施形態では、スイッチ１２は機械的なプッシュスイッチであるとする。
【００３１】
図４に示すように、携帯電話機１０は、格納ボックス２２内において、携帯電話機１０の銅板１１とスキー板２０の銅板２３とが接触する位置に固定されて設置される。このとき、スイッチ１２はＯＮになる。
【００３２】
このように、携帯電話機１０をスキー板２０に設置した状態では、携帯電話機１０の銅板１１は、銅板２３を介してスキー板２０の滑走面と接続されることになる。
【００３３】
スキー板２０の滑走面には、滑走中に、滑走面と雪とが摩擦されることで静電気が生じる。この静電気は、一部が雪側に放出されるものの、銅板２３と静電誘導して銅板２３および銅板１１に伝達される。
【００３４】
本実施形態の携帯電話機１０は、スキー板２０の滑走面で発生し銅板２３，１１を介して伝達されてきた静電気を検出し、その検出状態に応じて処理を行うものである。
【００３５】
図５は、本実施形態の携帯電話機１０のブロック図である。
【００３６】
図５に示すように、本実施形態の携帯電話機１０には、上述した銅板１１と、上述したスイッチ１２と、静電気検出部１３と、電源ＩＣ（Integrated Circuit）１４と、バイブレータ駆動回路１５と、バイブレータ１６と、ＣＰＵ（Central Processing Unit）１７と、が設けられている。
【００３７】
静電気検出部１３は、図１の静電気検出部１０１に対応するものであり、スキー板２０の滑走面で発生し銅板２３，１１を介して伝達されてきた静電気を検出する。
【００３８】
電源ＩＣ１４は、不図示のバッテリーに接続されており、バッテリーからの電源を携帯電話機１０内の各構成要素に供給する。
【００３９】
バイブレータ駆動回路１５は、バイブレータ１６を駆動する。
【００４０】
ＣＰＵ１７は、図１の制御部１０２に対応するものであり、スイッチ１２がＯＮである場合、静電気検出部１３の検出状態に応じて所定の処理を行う。
【００４１】
例えば、ＣＰＵ１７は、静電気検出部１３が静電気を検出した場合、所定の処理として、電源ＩＣ１４を制御して、携帯電話機１０内の特定の構成要素への電源供給を遮断する処理を行う。ここで、電源供給を遮断する特定の構成要素は、携帯電話機１０内の全ての構成要素（ただし、バッテリーと電源ＩＣ１４を除く。以下、同じ）でも良いし、一部の構成要素でも良い。
【００４２】
また、ＣＰＵ１７は、静電気検出部１３が静電気を検出した場合、所定の処理として、バイブレータ駆動回路１５を制御して、静電気検出部１３が静電気を検出したことをバイブレータ１６の振動で報知する処理を行う。なお、静電気を検出したことの報知は、不図示のスピーカーからの音声出力等で行っても良い。
【００４３】
以下、本実施形態の携帯電話機１０の動作について説明する。
【００４４】
図６は、本実施形態の携帯電話機１０の動作を説明するフローチャートである。
【００４５】
図６に示すように、まず、ＣＰＵ１７は、携帯電話機１０がスキー板２０に設置されたか否かを、スイッチ１２のＯＮ／ＯＦＦ状態を基に判定する（ステップＳ１）。
【００４６】
ステップＳ１において、スイッチ１２がＯＦＦである場合、ＣＰＵ１７は、携帯電話機１０がスキー板２０に設置されていないと判定して、通常動作を行う（ステップＳ７）。ここで、通常動作とは、静電気検出部１３の検出状態に応じた処理を行わない動作をいう。
【００４７】
一方、ステップＳ１において、スイッチ１２がＯＮである場合、ＣＰＵ１７は、携帯電話機１０がスキー板２０に設置されていると判定し、続いて、静電気検出部１３が検出した静電気の量が第１の閾値以上になったか否かを判定する（ステップＳ２）。
【００４８】
ステップＳ２において、第１の閾値以上になった場合、ＣＰＵ１７は、静電気検出部１３以外の構成要素への電源供給を遮断するよう電源ＩＣ１４に指示し、電源ＩＣ１４は、静電気検出部１３以外の構成要素への電源供給を遮断する（ステップＳ３）。
【００４９】
ここで、スキーを行う場所は、寒い場所であるため、携帯電話機１０を待ち受け状態にしていてもバッテリーの消耗速度は速くなる。そうすると、雪山での遭難時など、緊急を要する場合に、携帯電話機１０がバッテリー不足で使用不可となり、生命にかかわる重大事故に発展してしまう可能性がある。
【００５０】
バッテリーの消耗速度を遅くする方法としては、電源をＯＦＦにする（すなわち、電源ＩＣ１４から、携帯電話機１０内の全ての構成要素への電源供給を遮断する）方法が考えられるが、寒い場所では、素手で電源キーなど押したくないという要望もある。
【００５１】
そこで、本実施形態では、上述のように、スキー板２０の滑走面にて発生し伝達されてきた静電気が第１の閾値以上になった場合、スキー板２０の格納ボックス２２内部に設置した携帯電話機１０内の静電気検出部１３以外の構成要素への電源供給を遮断する。
【００５２】
そのため、ユーザーは、自分のスキー板２０の格納ボックス２２内部に携帯電話機１０を設置しておくだけで、滑走中に、静電気検出部１３以外の構成要素への電源供給が遮断されるため、寒い場所で素手で電源キーを押すなどの面倒な操作を行うことなく、バッテリーの消耗速度を遅くすることができる。
【００５３】
ステップＳ３において、静電気検出部１３以外の構成要素への電源供給が遮断された以降も、静電気検出部１３は、静電気の検出を継続し、検出した静電気の量が第１の閾値よりも大きな第２の閾値以上になった否かを判定する（ステップＳ４）。
【００５４】
ステップＳ４において、第２の閾値以上になった場合、静電気検出部１３は、静電気検出部１３以外の構成要素への電源供給を再開するよう電源ＩＣ１４に指示し、電源ＩＣ１４は、静電気検出部１３以外の構成要素への電源供給を再開する（ステップＳ５）。
【００５５】
そして、ＣＰＵ１７は、バイブレータ１６を駆動するようバイブレータ駆動回路１５に指示し、バイブレータ駆動回路１５は、バイブレータ１６を駆動する（ステップＳ６）。
【００５６】
ここで、スキー板２０の滑走面に発生した静電気の量がさらに大きくなった場合、スキー板２０の滑走面と雪との摩擦力が大きくなり、滑走速度が速くなったと考えられる。
【００５７】
そこで、本実施形態では、上述のように、スキー板２０の滑走面にて発生し伝達されてきた静電気が第１の閾値よりも大きい第２の閾値以上になった場合、携帯電話機１０の静電気検出部１３以外の構成要素への電源供給を再開し、バイブレータ１６を駆動する。
【００５８】
そのため、ユーザーに対し、滑走速度が速くなった場合、バイブレータ１６を振動させて足元を通じて危険を伝えることができるため、ユーザーに危険を認識させて事故を未然に防ぐことができる。
【００５９】
以下、本実施形態の携帯電話機１０の動作についてさらに詳細に説明する。
【００６０】
図７は、本実施形態の携帯電話機１０の動作のうち、図６に示したステップＳ１〜Ｓ３の動作を詳細に説明する図である。
【００６１】
図７に示すように、静電気検出部１３が検出した静電気の量が第１の閾値以上になった場合、イネーブル信号＃１がＯＮになる。このイネーブル信号＃１は、ＣＰＵ１７のポート端子Ａ１に入力される（図６のステップＳ２に相当）。
【００６２】
また、スイッチ１２がＯＮになった場合、すなわち、携帯電話機１０がスキー板２０に設置された場合、イネーブル信号＃２がＯＮになる。このイネーブル信号＃２は、ＣＰＵ１７のポート端子Ａ２に入力される（図６のステップＳ１に相当）。
【００６３】
ＣＰＵ１７は、イネーブル信号＃１，＃２が共にＯＮになった場合、イネーブル信号＃３をＯＮにする。このイネーブル信号＃３は、ＣＰＵ１７のポート端子Ａ３から電源ＩＣ１４のポート端子Ｂ１に入力される。
【００６４】
電源ＩＣ１４は、イネーブル信号＃３がＯＮになった場合、静電気検出部１３以外の構成要素への電源供給を遮断する（図６のステップＳ３に相当）。
【００６５】
図８は、本実施形態の携帯電話機１０の動作のうち、図６に示したステップＳ４〜Ｓ６の動作を詳細に説明する図である。
【００６６】
図８に示すように、静電気検出部１３が検出した静電気の量が第１の閾値以上になった場合、イネーブル信号＃１がＯＮになり、スイッチ１２がＯＮになった場合、イネーブル信号＃２がＯＮになる。この場合、図７に示したように、静電気検出部１３以外の構成要素への電源供給が遮断される（図６のステップＳ１〜Ｓ３に相当）。
【００６７】
この状態で、静電気検出部１３が検出した静電気の量が第２の閾値以上になった場合、イネーブル信号＃４がＯＮになる。このイネーブル信号＃４は、ＣＰＵ１７のポート端子Ａ４に入力されると共に、電源ＩＣ１４のポート端子Ｂ２に入力される（図６のステップＳ４に相当）。
【００６８】
電源ＩＣ１４は、イネーブル信号＃４がＯＮになった場合、静電気検出部１３以外の構成要素への電源供給を再開する（図６のステップＳ５に相当）。
【００６９】
これにより、ＣＰＵ１７には、電源が供給されることになるが、このとき、ＣＰＵ１７のポート端子Ａ４には、ＯＮのイネーブル信号＃４が入力されている。
【００７０】
そこで、ＣＰＵ１７は、イネーブル信号＃５をＯＮにする。このイネーブル信号＃５は、ＣＰＵ１７のポート端子Ａ５からバイブレータ駆動回路１５に入力される。
【００７１】
バイブレータ駆動回路１５は、イネーブル信号＃５がＯＮになった場合、駆動信号＃６をＯＮにする。この駆動信号＃６は、バイブレータ１６に入力される。
【００７２】
バイブレータ１６は、駆動信号＃６がＯＮになった場合、駆動を開始する（図６のステップＳ６に相当）。
【００７３】
上述したように本実施形態の携帯電話機１０によれば、静電気検出部１３は、スキー板２０の滑走面で発生し銅板２３，１１を介して伝達されてきた静電気を検出し、ＣＰＵ１７は、静電気検出部１３の検出状態に応じて所定の処理を行う。
【００７４】
したがって、第１の実施形態と同様に、静電気検出部１３が検出した静電気の検出状態を利用して処理を行うことができるという効果が得られる。
【００７５】
具体的には、ＣＰＵ１７は、スキー板２０の滑走面にて発生し伝達されてきた静電気が第１の閾値以上になった場合、スキー板２０の格納ボックス２２内部に設置した携帯電話機１０内の静電気検出部１３以外の構成要素への電源供給を遮断する。
【００７６】
そのため、ユーザーは、自分のスキー板２０の格納ボックス２２内部に携帯電話機１０を設置しておくだけで、滑走中に、静電気検出部１３以外の構成要素への電源供給が遮断されるため、寒い場所で素手で電源キーを押すなどの面倒な操作を行うことなく、バッテリーの消耗速度を遅くすることができる。
【００７７】
また、静電気検出部１３は、スキー板２０の滑走面にて発生し伝達されてきた静電気が第１の閾値よりも大きい第２の閾値以上になった場合、静電気検出部１３以外の構成要素への電源供給を再開し、ＣＰＵ１７は、バイブレータ１６を駆動する。
【００７８】
そのため、ユーザーに対し、滑走速度が速くなった場合、バイブレータ１６を振動させて足元を通じて危険を伝えることができるため、ユーザーに危険を認識させて事故を未然に防ぐことができる。
【００７９】
また、ＣＰＵ１７は、携帯電話機１０がスキー板２０に設置されている場合にのみ、上述した所定の処理を行うが、携帯電話機１０がスキー板２０に設置されているか否かの判定を、スイッチ１２のＯＮ／ＯＦＦという簡単な手段を用いて行うことができる。
【００８０】
以上、実施形態を参照して本発明を説明したが、本発明は上記実施形態に限定されものではない。本発明の構成や詳細には、本発明の範囲内で当業者が理解し得る様々な変更をすることができる。
【００８１】
例えば、第２の実施形態では、静電気検出部１３が検出した静電気の量が第１の閾値以上になった場合、静電気検出部１３以外の構成要素への電源供給を遮断することでバッテリーの消耗速度を遅くすることができるという効果が得られた。この効果は、図９および図１０に示すように、格納ボックス２２を断熱材２３で覆うことでさらに高めることができる。すなわち、格納ボックス２２を断熱材２３で覆うことで、格納ボックス２２内部の保温性を高めることができるため、バッテリーの消耗速度をさらに遅くすることができる。
【００８２】
また、第２の実施形態では、静電気検出部１３が検出した静電気の量が第１の閾値以上になった場合、静電気検出部１３以外の構成要素への電源供給を遮断したが、本発明はこれに限定されない。すなわち、第２の実施形態では、静電気の量が第２の閾値以上になった場合にバイブレータ１６を駆動させる制御を行うために、静電気検出部１３に対する電源供給を継続したが、この制御を行わない場合は静電気検出部１３への電源供給を遮断しても良い。このように、電源供給を遮断する構成要素は、適宜変更して良い。
【００８３】
また、第２の実施形態では、携帯電話機１０をスキー板２０に設置する場合の例を挙げたが、本発明はこれに限定されない。例えば、乾燥した時期に、洋服のポケットに携帯端末を入れた場合、ポケット内で静電気が発生していると、携帯端末を取り出すときに放電する。このような場合でも、本発明の携帯端末は、携帯端末内の特定の構成要素への電源供給を遮断する処理、静電気を検出したことを報知する処理などを行うことで、誤動作を防ぐことが可能になる。
【００８４】
また、第２の実施形態では、本発明の携帯端末の一例として携帯電話機を挙げたが、本発明はこれに限定されず、スマートフォン、ゲーム機、タブレット型ＰＣ（Personal Computer）、ノート型ＰＣなどにも適用することが可能である。
【００８５】
また、本発明の携帯端末にて行われる方法は、コンピュータに実行させるためのプログラムに適用してもよい。また、そのプログラムを記憶媒体に格納することも可能であり、ネットワークを介して外部に提供することも可能である。
【符号の説明】
【００８６】
１００    携帯端末
１０１    静電気検出部
１０２    制御部
１０    携帯電話機
１１    銅板
１２    スイッチ
１３    静電気検出部
１４    電源ＩＣ
１５    バイブレータ駆動回路
１６    バイブレータ
１７    ＣＰＵ
２０    スキー板
２１    ビンディング
２２    格納ボックス
２３    銅板
【図１】
2012227654.tif 000003
【図２】
2012227654.tif 000004
【図３】
2012227654.tif 000005
【図４】
2012227654.tif 000006
【図５】
2012227654.tif 000007
【図６】
2012227654.tif 000008
【図７】
2012227654.tif 000009
【図８】
2012227654.tif 000010
【図９】
2012227654.tif 000011
【図１０】
2012227654.tif 000012